(57)【要約】【課題】  基地局識別情報を位置情報として利用する携帯電話システム，携帯電話機，そのアラーム通知方法およびプログラムを提供する。【解決手段】  通信手段１１は基地局２との通信で基地局２の基地局識別情報を受信し、識別情報取得手段１４は通信手段１１が受信した基地局識別情報を識別情報格納部１５に格納する。アラーム情報設定手段１２は利用者が入力した条件と表示文字ならびに識別情報格納部１５に格納されている基地局識別情報をアラーム設定情報格納部１３に格納する。位置アラーム通知手段１６は識別情報格納部１５に格納されている基地局識別情報とアラーム設定情報格納部１３に格納されているアラーム設定情報とを比較し、条件が成立すれば表示文字を表示してアラームを鳴らす。【選択図】      図１
2005223825.tif 000002
【特許請求の範囲】
【請求項１】
携帯電話機を無線回線で収容する基地局と、
前記基地局の圏内に入ったか或いは前記基地局の圏内から出たかを検出したときに前記基地局に関係づけて設定している動作を実行する携帯電話機と、
を備える携帯電話システム。
【請求項２】
携帯電話機を無線回線で収容し携帯電話機との通信時に基地局識別情報を送信する基地局と、
前記基地局から受信する基地局識別情報が変化したときに前記基地局の圏内に入ったか或いは前記基地局の圏内から出たかを検出し前記基地局に関係づけて設定している動作を実行する携帯電話機と、
を備える携帯電話システム。
【請求項３】
基地局に無線回線で収容される携帯電話機であって、
前記基地局の圏内に入ったか或いは前記基地局の圏内から出たかを検出する手段と、
検出したときに前記基地局に関係づけて設定している動作を実行する手段と、
を備える携帯電話機。
【請求項４】
基地局に無線回線で収容され基地局との通信時に基地局識別情報を受信する携帯電話機であって、
前記基地局から受信する基地局識別情報が変化したときに前記基地局の圏内に入ったか或いは前記基地局の圏内から出たかを検出する手段と、
検出したときに前記基地局に関係づけて設定している動作を実行する手段と、
を備える携帯電話機。
【請求項５】
基地局に無線回線で収容され基地局との通信時に基地局識別情報を受信する携帯電話機であって、
基地局からの基地局識別情報を取得し最新に取得した基地局識別情報が直前に取得していた基地局識別情報と異なるときに位置アラーム通知手段に通知する識別情報取得手段と、
アラームを起動する条件および条件が成立したときに表示する表示文字を入力し入力した条件と表示文字ならびにアラーム情報設定時に最新に取得した基地局識別情報をアラーム設定情報として設定するアラーム情報設定手段と、
前記識別情報取得手段から基地局識別情報の変化を通知されたときに最新に取得した基地局識別情報と前記アラーム設定情報とを比較して条件が成立するか否かを判断し条件が成立した場合にアラームを通知する位置アラーム通知手段と、
を備える携帯電話機。
【請求項６】
前記位置アラーム通知手段は、
最新に取得した基地局識別情報がアラーム情報設定時に最新に取得した基地局識別情報と等しいときに（基地局の圏内に入ったときに）条件を成立させる手段を有する、
ことを特徴とする請求項５記載の携帯電話機。
【請求項７】
前記位置アラーム通知手段は、
最新の直前に取得していた基地局識別情報がアラーム情報設定時に最新に取得した基地局識別情報と等しいときに（基地局の圏外に出たときに）条件を成立させる手段を有する、
ことを特徴とする請求項５記載の携帯電話機。
【請求項８】
前記基地局識別情報は、基地局位置情報から成ることを特徴とする請求項４，５，６または７記載の携帯電話機。
【請求項９】
前記基地局識別情報は、基地局識別子から成ることを特徴とする請求項４，５，６または７記載の携帯電話機。
【請求項１０】
基地局に無線回線で収容される携帯電話機のアラーム通知方法であって、
前記基地局の圏内に入ったか或いは前記基地局の圏内から出たかを検出し、
検出したときに前記基地局に関係づけて設定している動作を実行する、
ことを特徴とするアラーム通知方法。
【請求項１１】
基地局に無線回線で収容され基地局との通信時に基地局識別情報を受信する携帯電話機のアラーム通知方法であって、
前記基地局から受信する基地局識別情報が変化したときに前記基地局の圏内に入ったか或いは前記基地局の圏内から出たかを検出し、
検出したときに前記基地局に関係づけて設定している動作を実行する、
ことを特徴とするアラーム通知方法。
【請求項１２】
基地局に無線回線で収容され基地局との通信時に基地局識別情報を受信する携帯電話機のアラーム通知方法であって、
基地局からの基地局識別情報を取得し、
アラームを起動する条件および条件が成立したときに表示する表示文字を入力し、
入力した条件と表示文字ならびにアラーム情報設定時に最新に取得した基地局識別情報をアラーム設定情報として設定し、
最新に取得した基地局識別情報が直前に取得していた基地局識別情報と異なるときに、
最新に取得した基地局識別情報と前記アラーム設定情報とを比較して条件が成立するか否かを判断し、
条件が成立した場合にアラームを通知する、
ことを特徴とするアラーム通知方法。
【請求項１３】
最新に取得した基地局識別情報がアラーム情報設定時に最新に取得した基地局識別情報と等しいときに（基地局の圏内に入ったときに）条件が成立する、
ことを特徴とする請求項１２記載のアラーム通知方法。
【請求項１４】
最新の直前に取得していた基地局識別情報がアラーム情報設定時に最新に取得した基地局識別情報と等しいときに（基地局の圏外に出たときに）条件が成立する、
ことを特徴とする請求項１２記載のアラーム通知方法。
【請求項１５】
前記基地局識別情報は、基地局位置情報であることを特徴とする請求項１１，１２，１３または１４記載のアラーム通知方法。
【請求項１６】
前記基地局識別情報は、基地局識別子であることを特徴とする請求項１１，１２，１３または１４記載のアラーム通知方法。
【請求項１７】
基地局に無線回線で収容される携帯電話機のアラーム通知プログラムであって、
携帯電話機に、
前記基地局の圏内に入ったか或いは前記基地局の圏内から出たかを検出する機能、
検出したときに前記基地局に関係づけて設定している動作を実行する機能、
を実現させるためのアラーム通知プログラム。
【請求項１８】
基地局に無線回線で収容され基地局との通信時に基地局識別情報を受信する携帯電話機のアラーム通知プログラムであって、
携帯電話機に、
前記基地局から受信する基地局識別情報が変化したときに前記基地局の圏内に入ったか或いは前記基地局の圏内から出たかを検出する機能、
検出したときに前記基地局に関係づけて設定している動作を実行する機能、
を実現させるためのアラーム通知プログラム。
【請求項１９】
基地局に無線回線で収容され基地局との通信時に基地局識別情報を受信する携帯電話機のアラーム通知プログラムであって、
携帯電話機に、
基地局からの基地局識別情報を取得する機能、
アラームを起動する条件および条件が成立したときに表示する表示文字を入力する機能、
入力した条件と表示文字ならびにアラーム情報設定時に最新に取得した基地局識別情報をアラーム設定情報として設定する機能、
最新に取得した基地局識別情報が直前に取得していた基地局識別情報と異なるときに、最新に取得した基地局識別情報と前記アラーム設定情報とを比較して条件が成立するか否かを判断する機能、
条件が成立した場合にアラームを通知する機能、
を実現させるためのアラーム通知プログラム。
【請求項２０】
最新に取得した基地局識別情報がアラーム情報設定時に最新に取得した基地局識別情報と等しいときに（基地局の圏内に入ったときに）条件が成立する機能、
を実現させるための請求項１９記載のアラーム通知プログラム。
【請求項２１】
最新の直前に取得していた基地局識別情報がアラーム情報設定時に最新に取得した基地局識別情報と等しいときに（基地局の圏外に出たときに）条件が成立する機能、
を実現させるための請求項１９記載のアラーム通知プログラム。
【発明の詳細な説明】
【技術分野】
【０００１】
本発明は、携帯電話システム，携帯電話機，そのアラーム通知方法およびプログラムに関し、特に、位置情報を利用する携帯電話システム，携帯電話機，そのアラーム通知方法およびプログラムに関する。
【背景技術】
【０００２】
従来の携帯端末システムの一例として、特許文献１には、利用者からの入力を受ける入力手段と、利用者に出力する画面表示手段及び音発生手段と、ＧＰＳシステムを用いて現在の位置情報を取得する現在位置取得手段とを備え、利用者がすべき行動を場所ごとに登録した場所ー行動情報と、現在位置取得手段で取得された現在位置が場所ー行動情報に登録された場所に近づいたとき或いはその登録された場所から離れるときに、その場所ですべき行動があることを利用者に報せる手段とを備える、携帯端末システムが開示されている。
【０００３】
【特許文献１】特開平９−１１３５９９号公報
【発明の開示】
【発明が解決しようとする課題】
【０００４】
しかしながら、上述した背景技術には、以下の問題点がある。
【０００５】
すなわち、特許文献１の携帯端末システムでは機能を成立させるために人工衛星からの情報を得る構成のため、ＧＰＳシステムを利用する専用の携帯端末が必要であり、通常の携帯電話が使用できないことである。また、携帯端末は、場所，その場所の座標およびカバー範囲を保管する場所−座標ファイルを備える必要があることである。
【０００６】
本発明の目的は、上記の問題点を解決し、基地局識別情報を位置情報として利用する携帯電話システム，携帯電話機，そのアラーム通知方法およびプログラムを提供することにある。
【課題を解決するための手段】
【０００７】
本願第１の発明の携帯電話システムは、携帯電話機を無線回線で収容する基地局と、前記基地局の圏内に入ったか或いは前記基地局の圏内から出たかを検出したときに前記基地局に関係づけて設定している動作を実行する携帯電話機と、を備える。
【０００８】
本願第２の発明の携帯電話システムは、携帯電話機を無線回線で収容し携帯電話機との通信時に基地局識別情報を送信する基地局と、前記基地局から受信する基地局識別情報が変化したときに前記基地局の圏内に入ったか或いは前記基地局の圏内から出たかを検出し前記基地局に関係づけて設定している動作を実行する携帯電話機と、を備える。
【０００９】
本願第３の発明の携帯電話機は、基地局に無線回線で収容される携帯電話機であって、前記基地局の圏内に入ったか或いは前記基地局の圏内から出たかを検出する手段と、検出したときに前記基地局に関係づけて設定している動作を実行する手段と、を備える。
【００１０】
本願第４の発明の携帯電話機は、基地局に無線回線で収容され基地局との通信時に基地局識別情報を受信する携帯電話機であって、前記基地局から受信する基地局識別情報が変化したときに前記基地局の圏内に入ったか或いは前記基地局の圏内から出たかを検出する手段と、検出したときに前記基地局に関係づけて設定している動作を実行する手段と、を備える。
【００１１】
本願第５の発明の携帯電話機は、基地局に無線回線で収容され基地局との通信時に基地局識別情報を受信する携帯電話機であって、基地局からの基地局識別情報を取得し最新に取得した基地局識別情報が直前に取得していた基地局識別情報と異なるときに位置アラーム通知手段に通知する識別情報取得手段と、アラームを起動する条件および条件が成立したときに表示する表示文字を入力し入力した条件と表示文字ならびにアラーム情報設定時に最新に取得した基地局識別情報をアラーム設定情報として設定するアラーム情報設定手段と、前記識別情報取得手段から基地局識別情報の変化を通知されたときに最新に取得した基地局識別情報と前記アラーム設定情報とを比較して条件が成立するか否かを判断し条件が成立した場合にアラームを通知する位置アラーム通知手段と、を備える。
【００１２】
本願第６の発明の携帯電話機は、第５の発明において前記位置アラーム通知手段は、最新に取得した基地局識別情報がアラーム情報設定時に最新に取得した基地局識別情報と等しいときに（基地局の圏内に入ったときに）条件を成立させる手段を有する。
【００１３】
本願第７の発明の携帯電話機は、第５の発明において前記位置アラーム通知手段は、最新の直前に取得していた基地局識別情報がアラーム情報設定時に最新に取得した基地局識別情報と等しいときに（基地局の圏外に出たときに）条件を成立させる手段を有する。
【００１４】
本願第８の発明の携帯電話機は、第４，第５，第６または第７の発明において前記基地局識別情報は、基地局位置情報であることを特徴とする。
【００１５】
本願第９の発明の携帯電話機は、第４，第５，第６または第７の発明において前記基地局識別情報は、基地局識別子であることを特徴とする。
【００１６】
本願第１０の発明のアラーム通知方法は、基地局に無線回線で収容される携帯電話機のアラーム通知方法であって、前記基地局の圏内に入ったか或いは前記基地局の圏内から出たかを検出し、検出したときに前記基地局に関係づけて設定している動作を実行する、ことを特徴とする。
【００１７】
本願第１１の発明のアラーム通知方法は、基地局に無線回線で収容され基地局との通信時に基地局識別情報を受信する携帯電話機のアラーム通知方法であって、前記基地局から受信する基地局識別情報が変化したときに前記基地局の圏内に入ったか或いは前記基地局の圏内から出たかを検出し、検出したときに前記基地局に関係づけて設定している動作を実行する、ことを特徴とする。
【００１８】
本願第１２の発明のアラーム通知方法は、基地局に無線回線で収容され基地局との通信時に基地局識別情報を受信する携帯電話機のアラーム通知方法であって、基地局からの基地局識別情報を取得し、アラームを起動する条件および条件が成立したときに表示する表示文字を入力し、入力した条件と表示文字ならびにアラーム情報設定時に最新に取得した基地局識別情報をアラーム設定情報として設定し、最新に取得した基地局識別情報が直前に取得していた基地局識別情報と異なるときに、最新に取得した基地局識別情報と前記アラーム設定情報とを比較して条件が成立するか否かを判断し、条件が成立した場合にアラームを通知する、ことを特徴とする。
【００１９】
本願第１３の発明のアラーム通知方法は、第１２の発明において最新に取得した基地局識別情報がアラーム情報設定時に最新に取得した基地局識別情報と等しいときに（基地局の圏内に入ったときに）条件が成立する、ことを特徴とする。
【００２０】
本願第１４の発明のアラーム通知方法は、第１２の発明において最新の直前に取得していた基地局識別情報がアラーム情報設定時に最新に取得した基地局識別情報と等しいときに（基地局の圏外に出たときに）条件が成立する、ことを特徴とする。
【００２１】
本願第１５の発明のアラーム通知方法は、第１１，第１２，第１３または第１４の発明において前記基地局識別情報は、基地局位置情報であることを特徴とする。
【００２２】
本願第１６の発明のアラーム通知方法は、第１１，第１２，第１３または第１４の発明において前記基地局識別情報は、基地局識別子であることを特徴とする。
【００２３】
本願第１７の発明のアラーム通知プログラムは、基地局に無線回線で収容される携帯電話機のアラーム通知プログラムであって、携帯電話機に、前記基地局の圏内に入ったか或いは前記基地局の圏内から出たかを検出する機能、検出したときに前記基地局に関係づけて設定している動作を実行する機能、を実現させる。
【００２４】
本願第１８の発明のアラーム通知プログラムは、基地局に無線回線で収容され基地局との通信時に基地局識別情報を受信する携帯電話機のアラーム通知プログラムであって、携帯電話機に、前記基地局から受信する基地局識別情報が変化したときに前記基地局の圏内に入ったか或いは前記基地局の圏内から出たかを検出する機能、検出したときに前記基地局に関係づけて設定している動作を実行する機能、を実現させる。
【００２５】
本願第１９の発明のアラーム通知プログラムは、基地局に無線回線で収容され基地局との通信時に基地局識別情報を受信する携帯電話機のアラーム通知プログラムであって、携帯電話機に、基地局からの基地局識別情報を取得する機能、アラームを起動する条件および条件が成立したときに表示する表示文字を入力する機能、入力した条件と表示文字ならびにアラーム情報設定時に最新に取得した基地局識別情報をアラーム設定情報として設定する機能、最新に取得した基地局識別情報が直前に取得していた基地局識別情報と異なるときに、最新に取得した基地局識別情報と前記アラーム設定情報とを比較して条件が成立するか否かを判断する機能、条件が成立した場合にアラームを通知する機能、を実現させる。
【００２６】
本願第２０の発明のアラーム通知プログラムは、第１９の発明において最新に取得した基地局識別情報がアラーム情報設定時に最新に取得した基地局識別情報と等しいときに（基地局の圏内に入ったときに）条件が成立する機能、を実現させる。
【００２７】
本願第２１の発明のアラーム通知プログラムは、第１９の発明において最新の直前に取得していた基地局識別情報がアラーム情報設定時に最新に取得した基地局識別情報と等しいときに（基地局の圏外に出たときに）条件が成立する機能、を実現させる。
【発明の効果】
【００２８】
本発明の効果は、専用の携帯電話でなくても、位置情報でアラーム通知を行うことができることである。
【００２９】
その理由は、特定の基地局の圏内に入ったか或いは特定の基地局の圏内から出たかを検出する手段と検出したときに特定の基地局に関係づけて設定している動作を実行する手段とを設けたからである。
【発明を実施するための最良の形態】
【００３０】
本発明は、特定の基地局の圏内に入ったか或いは特定の基地局の圏内から出たかを検出し、検出したときに特定の基地局に関係づけて設定されている動作を実行することを特徴としている。
【００３１】
より具体的には、本発明は、携帯電話が、通信している基地局から受信した基地局の識別情報を利用し、特定の基地局圏内に移動した場合や、逆にその基地局圏内を離れた場合に、アラーム表示を行うことを特徴としている。
【００３２】
次に、本発明を実施するための最良の形態の構成について、図面を参照して詳細に説明する。
図１は携帯電話の構成例を示す図である。
図２は全体の構成例を示す図である。
図３はアラーム設定情報の例を示す図である。
図４は識別情報の例を示す図である。
【００３３】
図２を参照すると、本発明を実施するための最良の形態の一実施例は、携帯電話１と、基地局２と、を備えている。
【００３４】
携帯電話１は、ＣＰＵを内蔵してプログラム制御で動作する。携帯電話１は、図１に示す実施例１のように、基地局２および交換機を介して相手方と通話（電子メール等を含む）を行う公知の携帯電話機能を含む通信手段１１に加えて、アラーム情報設定手段１２と、アラーム設定情報格納部１３と、識別情報取得手段１４と、識別情報格納部１５と、位置アラーム通知手段１６と、を備えている。携帯電話１は、通話をしていなくても、基地局２との間で位置登録を続けているので、その際にどの基地局に自分が属しいるかの情報を受け取っている。
【００３５】
アラーム情報設定手段１２は、アラームの名称を表すアラーム名称，現在の位置を示す位置情報，アラームを起動する条件および条件が成立したときに表示する表示文字を入力する。条件には、その位置に入ったら何かを通知したい場合とその位置を離れた時に何かを通知したい場合の２つの設定が可能である。アラーム情報設定手段１２は、入力した情報をアラーム設定情報格納部１３に格納する。すなわち、入力したアラーム名称をアラーム名称欄に、入力した位置情報を位置情報欄に、入力した条件がその位置に入ったら何かを通知したい場合であれば「圏内に入ったら」を条件欄に、入力した条件がその位置を離れた時に何かを通知したい場合であれば「圏外になったら」を条件欄に、入力した表示文字を表示文字欄に、格納する。更に、識別情報格納部１５に格納されている基地局識別情報を基地局情報欄に格納する。なお、条件として「その位置に入ったら何かを通知したい場合」を設定したとき、この設定は次回この位置に利用者が到着した時にアラームが鳴る設定である。また、条件として「その位置を離れた時に何かを通知したい場合」を設定したとき、この設定は次回この位置から利用者が離れた時にアラームが鳴る設定である。
【００３６】
アラーム設定情報格納部１３は、アラーム情報設定手段１２で入力したアラーム設定情報を格納する領域で、メモリ（例えば不揮発メモリ）等で構成される。図３に示すアラーム設定情報の例では、アラーム設定情報はアラーム名称欄，位置情報欄，条件欄，表示文字欄および基地局情報欄を含んでいる。
【００３７】
識別情報取得手段１４は、通信手段１１が最寄りの基地局２との通信時に受信した情報の中から基地局識別情報を取得し、新情報部１５１の内容を旧情報部１５２に移し、取得した基地局識別情報を新情報部１５１に格納する。識別情報取得手段１４は、基地局識別情報を新情報部１５１に格納した後に新情報部１５１の内容と旧情報部１５２の内容とを比較し、内容が異なる（基地局識別情報が変化した）場合には位置アラーム通知手段１６に通知する。
【００３８】
識別情報格納部１５は、識別情報取得手段１４で取得した基地局の識別情報を格納する領域で、メモリ等で構成される。識別情報格納部１５は、新情報部１５１と旧情報部１５２とを含んでいる。新情報部１５１には、最新の通信で取得した基地局識別情報が格納される。旧情報部１５２には、最新の１つ前の通信で取得した基地局識別情報が格納される。図４に識別情報の例を示す。
【００３９】
位置アラーム通知手段１６は、識別情報取得手段１４から基地局識別情報の変化を通知されたときに、旧情報部１５２に格納されている基地局識別情報と新情報部１５１に格納されている基地局識別情報とアラーム設定情報格納部１３に設定されている基地局情報と条件とから、条件が成立するか否かを判断し、条件が成立した場合にアラームを通知する。すなわち、位置アラーム通知手段１６は、アラーム設定情報格納部１３の条件が「圏内に入ったら」で且つアラーム設定情報格納部１３の基地局情報が新情報部１５１に格納されている基地局識別情報と等しければ、位置アラームの条件が成立したものとしてアラーム表示する。また、位置アラーム通知手段１６は、アラーム設定情報格納部１３の条件が「圏外になったら」で且つアラーム設定情報格納部１３の基地局情報が旧情報部１５２に格納されている基地局識別情報と等しければ、位置アラームの条件が成立したものとしてアラーム表示する。
【００４０】
基地局２は、無線回線で携帯電話１を収容する。基地局２は、携帯電話１との通信時に、自己を識別するための基地局識別情報を通知している。基地局識別情報は、基地局の位置を示す基地局位置情報でもよいし、基地局を一意に識別するＩＤ（識別子）である基地局ＩＤでもよい。
【００４１】
次に、本発明を実施するための最良の形態の動作について、図１〜図５を参照して詳細に説明する。
図５は本発明の動作を説明する図である。
【００４２】
図５を参照して、情報の流れを説明する。
【００４３】
なお、通信手段１１は定期的に最寄りの基地局と通信して基地局識別情報を受信し、識別情報取得手段１４は通信手段１１が受信した基地局識別情報を位置情報格納部１４に格納しているものとする。
【００４４】
先ず、利用者は、例えば自宅にて携帯電話１にアラーム設定情報（位置アラーム１）を設定する。自宅は「Ａ市Ｂ町」で、基地局ａの圏内に存在するものとする。従って、新情報部１５１には基地局ａの識別情報「ａａａａａａ」が格納される。
【００４５】
（１）アラーム情報設定手段１２は、アラーム情報を設定してアラーム設定情報格納部１３に格納する。例えば、位置情報として「Ａ市Ｂ町」（「自宅」でもよい）、表示文字として「うちに帰ったらビデオを取り替える」を入力して位置アラーム１を設定する（図３の（ａ）参照）。この設定は、次回この位置に利用者が到着した時に（次回自宅に帰った時に）アラームが鳴る設定である。
【００４６】
（２）アラーム情報設定手段１２は、新情報部１５１から基地局識別情報（本例では「ａａａａａａ」）を読み出し、位置アラーム１に関する基地局情報としてアラーム設定情報格納部１３に格納する。更に、アラーム情報設定手段１２は、アラーム設定情報格納部１３に条件として「圏内に入ったら」を格納する（図３の（ａ）参照）。
【００４７】
次に、利用者は、携帯電話１を携帯して移動し、例えば会社に出勤して携帯電話１にアラーム設定情報（位置アラーム２）を設定する。会社は「Ｃ市Ｄ町」で、基地局ｃの圏内に存在するものとする。従って、新情報部１５１には基地局ｃの識別情報「ｃｃｃｃｃｃ」が格納される。
【００４８】
（３）アラーム情報設定手段１２は、アラーム情報を設定してアラーム設定情報格納部１３に格納する。例えば、位置情報として「Ｃ市Ｄ町」（「会社」でもよい）、表示文字として「傘を忘れない様に」を入力して位置アラーム２を設定する（図３の（ｂ）参照）。この設定は、次回この位置から利用者が離れた時にアラームが鳴る設定である。
【００４９】
（４）アラーム情報設定手段１２は、新情報部１５１から基地局識別情報（本例では「ｃｃｃｃｃｃ」）を読み出し、位置アラーム２に関する基地局情報としてアラーム設定情報格納部１３に格納する。更に、アラーム情報設定手段１２は、アラーム設定情報格納部１３に条件として「圏外になったら」を格納する（図３の（ｂ）参照）。
【００５０】
位置アラーム設定後、携帯電話１は設定された位置アラームの条件が成立するかをチェックする。
【００５１】
（５）位置アラーム通知手段１６は、識別情報取得手段１４から基地局識別情報の変化を通知されたときに、位置アラームの条件が成立するか否かを判断する。なお、会社に居るとき、携帯電話１は常に基地局ｃの圏内なので、基地局識別情報の変化が発生しない。そのため、識別情報取得手段１４から基地局識別情報の変化は通知されない。
【００５２】
次に、利用者は、携帯電話１を携帯して帰社し自宅に向かう。
【００５３】
（６）携帯電話１が基地局ｃの圏内から基地局ｂの圏内に移った時に、位置アラーム通知手段１６は、識別情報取得手段１４から基地局識別情報の変化を通知され（本例では基地局識別情報が「ｃｃｃｃｃｃ」から「ｂｂｂｂｂｂ」に変わる）、位置アラームの条件が成立するか否かを判断する。本例では、新情報部１５１に格納されている基地局識別情報が「ｂｂｂｂｂｂ」で且つ旧情報部１５２の基地局識別情報が「ｃｃｃｃｃｃ」であるので、図３の（ｂ）に示すアラーム設定情報格納部１３の基地局情報が「ｃｃｃｃｃｃ」で条件が「圏外になったら鳴らす」の位置アラーム２が条件成立する。条件が成立した位置アラーム２の表示文字「傘を忘れない様に」を表示し、アラーム音を鳴らす。
【００５４】
（７）携帯電話１が基地局ｂの圏内から基地局ａの圏内に移った時に、位置アラーム通知手段１６は、識別情報取得手段１４から基地局識別情報の変化を通知され（本例では位置情報が「ｂｂｂｂｂｂ」から「ａａａａａａ」に変わる）、位置アラームの条件が成立するか否かを判断する。本例では、新情報部１５１に格納されている基地局識別情報が「ａａａａａａ」で且つ旧情報部１５２の基地局識別情報が「ｂｂｂｂｂｂ」であるので、図３の（ａ）に示すアラーム設定情報格納部１３の基地局情報が「ａａａａａａ」で条件が「圏内に入ったら鳴らす」の位置アラーム１が条件成立する。条件が成立した位置アラーム１の表示文字「うちに帰ったらビデオを取り替える」を表示して、アラーム音を鳴らす。
【００５５】
このように、時間ではなく、位置情報でアラーム通知をおこなうことにより、より生活にあったアラーム通知を行うことができ、帰社時および帰宅時の忘れ物を防ぐ効果がある。また、利用者が位置の具体的な情報を知らなくても、位置情報名を勝手に名付けることでアラーム情報を設定できるので、位置情報データベース等を携帯電話１内に設ける必要がない。
【００５６】
以上説明したように、本発明では、基地局識別情報を位置情報として利用しているため、通常の携帯電話システム以外にＧＰＳシステム等の特別な設備を必要とせず、容易に導入できる。また、本発明では、携帯電話の基地局情報を利用することにより、携帯電話側で特別な処理を持たずとも場所を容易に確定することができるので、場所，その場所の座標およびカバー範囲を保管する場所−座標ファイルを備える必要もない。
【００５７】
次に、本発明の実施例２について図６および図７を参照して説明する。実施例２は、アラーム設定情報に条件が成立したときに発信する電話番号を設定し、条件が成立したときにその電話番号に発信する形態である。
図６は本発明の実施例２における携帯電話３の構成を示す図である。
図７は本発明の実施例２におけるアラーム設定情報の例を示す図である。
【００５８】
ここでは、上述した実施例１の携帯電話１の構成と異なる通信手段３１，アラーム情報設定手段３２，アラーム設定情報格納部３３および位置アラーム通知手段３６について、図６を参照して説明する。
【００５９】
通信手段３１は、実施例１における通信手段１１の機能に加えて、位置アラーム通知手段３６から電話番号を受け取り、受け取った電話番号で電話発信する機能を有する。
【００６０】
アラーム情報設定手段３２は、実施例１におけるアラーム情報設定手段１２の機能に加えて、条件が成立したときに発信する電話番号を入力してアラーム設定情報格納部３３に格納する。
【００６１】
アラーム設定情報格納部３３は、アラーム名称，位置情報，条件，表示文字，電話番号および基地局情報を含む。図７にアラーム設定情報の例を示す。
【００６２】
位置アラーム通知手段３６は、実施例１における位置アラーム通知手段１６の機能に加えて、条件が成立した場合に、表示文字および電話番号を表示してアラーム音を鳴らして、電話番号に発信するかの問い合わせを表示する。問い合わせに対して、「はい」が指定されれば電話番号を通信手段３１に送出する。あるいは、条件が成立した場合に、表示文字および電話番号を表示してアラーム音を鳴らして、電話番号を通信手段３１に送出するようにしてもよい。
【００６３】
このように、アラーム設定情報に電話番号を設定することにより、電話のかけ忘れを防ぐことができる。
【００６４】
次に、本発明の実施例３について図８および図９を参照して説明する。実施例３は、アラーム設定情報に表示文字に代えて条件が成立したときに実行するコマンドを設定し、条件が成立したときにそのコマンドを実行する形態である。
図８は本発明の実施例３における携帯電話４の構成を示す図である。
図９は本発明の実施例３におけるアラーム設定情報の例を示す図である。
【００６５】
ここでは、上述した実施例１の携帯電話１の構成と異なる通信手段４１，アラーム情報設定手段４２，アラーム設定情報格納部４３および位置アラーム通知手段４６について、図８を参照して説明する。
【００６６】
通信手段４１は、実施例１における通信手段１１の機能に加えて、位置アラーム通知手段４６からコマンドを受け取り、受け取ったコマンドを実行する機能を有する。
【００６７】
アラーム情報設定手段４２は、実施例１におけるアラーム情報設定手段１２の機能に加えて、条件が成立したときに実行するコマンドを入力してアラーム設定情報格納部４３に格納する。
【００６８】
アラーム設定情報格納部４３は、アラーム名称，位置情報，条件，コマンドおよび基地局情報を含む。図９にアラーム設定情報の例を示す。
【００６９】
位置アラーム通知手段４６は、実施例１における位置アラーム通知手段１６の機能に加えて、条件が成立した場合に指定されたコマンドを実行する。
【００７０】
例えば、コマンドとしてマナーモード（携帯電話４をマナーモードにする）／ドライブモード（携帯電話４をドライブモードにする）／通常モード（携帯電話４を通常モードにする）を設ける。自宅で、アラーム情報設定手段４２はコマンドとして通常モードを入力してアラーム設定情報格納部４３に格納する。外出時には携帯電話４をマナーモードあるいはドライブモードで使用する。帰宅すると条件が成立するので、携帯電話４はコマンドを実行して通常モードになる。また、会社で、コマンドとしてマナーモードを入力して設定しておくと、次回会社に到着したときに、携帯電話４はコマンドを実行してマナーモードになる。
【００７１】
このように、アラーム設定情報にコマンドを設定することにより、携帯電話を状況に合わせたモードにするので、いちいち手動でモードを切り換える手間が省け、更に他への迷惑を防止することができる。
【００７２】
次に、本発明の実施例４について図１０を参照して説明する。実施例４は、識別情報分析手段を設け、識別情報分析手段が基地局識別情報の変化を分析し、分析結果に基づいてて携帯電話のモードを設定する形態である。
図１０は本発明の実施例４における携帯電話５の構成を示す図である。
【００７３】
ここでは、上述した実施例１の携帯電話１の構成と異なる通信手段５１，識別情報取得手段５４，識別情報格納部５５および識別情報分析手段５７について、図１０を参照して説明する。
【００７４】
通信手段５１は、実施例１における通信手段１１の機能に加えて、識別情報分析手段５７から設定するモードを受け取り、携帯電話５を受け取ったモードに設定する機能を有する。
【００７５】
識別情報取得手段５４は、実施例１における識別情報取得手段１４の機能に加えて、新情報部１５１の内容と旧情報部１５２の内容とを比較して内容が異なる（基地局識別情報が変化した）場合に、新情報部１５１の内容を取得時刻と共に蓄積部５５３に格納する。
【００７６】
識別情報格納部５５は、蓄積部５５３を含んでいる。蓄積部５５３には、識別情報取得手段５４により基地局識別情報と取得時刻との組が順次後方向に時系列に格納される。基地局識別情報と取得時刻との組は、蓄積部５５３の最後まで格納されると蓄積部５５３の先頭に戻り上書きして格納される。蓄積部５５３は、単位時間あたりの基地局切り替えが頻繁に起こっていることを検出できるのに十分の大きさを持つ。
【００７７】
識別情報分析手段５７は、蓄積部５５３に格納されている基地局識別情報を分析し、単位時間あたりの基地局切り替えが頻繁に起こっている場合（予め設定している回数を超えた場合）には携帯電話５を自動的に特定モード（例えば、マナーモード或いはドライブモード等）にし、そうでない場合には自動的に通常モードにする。単位時間あたりの基地局切り替えが頻繁に起こるということは、電車やバス等の交通機関に乗っている場合や自動車を運転している場合が想定される。基地局切り替えが頻繁に起こっている場合に設定される特定モードは、一意に固定していてもよいし、予め入力して指定するようにしてもよい。
【００７８】
このように、識別情報分析手段を設けることにより、交通機関に乗っているときや自動車を運転しているときに携帯電話を自動的にマナーモードやドライブモードにするので、いちいち手動でモードを切り換える手間が省け、更に公衆マナーや運転マナーの向上に貢献できる。
【００７９】
本発明による上述した実施の形態において、携帯電話機の処理動作を実行するためのプログラム等を、データとしてコンピュータの磁気ディスクや光ディスク等の記録媒体（図示せず）に記録するようにし、記録されたデータを読み出して携帯電話機を動作させるために用いる。このように、本発明による携帯電話機を動作させるデータを記録媒体に記録させ、この記録媒体をインストールすることにより携帯電話機の機能が実現できるようになる。
【図面の簡単な説明】
【００８０】
【図１】携帯電話の構成例を示す図
【図２】全体の構成例を示す図
【図３】アラーム設定情報の例を示す図
【図４】識別情報の例を示す図
【図５】本発明の動作を説明する図
【図６】本発明の実施例２における携帯電話の構成を示す図
【図７】本発明の実施例２におけるアラーム設定情報の例を示す図
【図８】本発明の実施例３における携帯電話の構成を示す図
【図９】本発明の実施例３におけるアラーム設定情報の例を示す図
【図１０】本発明の実施例４における携帯電話の構成を示す図
【符号の説明】
【００８１】
１    携帯電話
２    基地局
３    携帯電話
４    携帯電話
５    携帯電話
１１    通信手段
１２    アラーム情報設定手段
１３    アラーム設定情報格納部
１４    識別情報取得手段
１５    識別情報格納部
１６    位置アラーム通知手段
３１    通信手段
３２    アラーム情報設定手段
３３    アラーム設定情報格納部
３６    位置アラーム通知手段
４１    通信手段
４２    アラーム情報設定手段
４３    アラーム設定情報格納部
４６    位置アラーム通知手段
５１    通信手段
５４    識別情報取得手段
５５    識別情報格納部
５７    識別情報分析手段
１５１    新情報部
１５２    旧情報部
５５３    蓄積部
【図１】
2005223825.tif 000003
【図２】
2005223825.tif 000004
【図３】
2005223825.tif 000005
【図４】
2005223825.tif 000006
【図５】
2005223825.tif 000007
【図６】
2005223825.tif 000008
【図７】
2005223825.tif 000009
【図８】
2005223825.tif 000010
【図９】
2005223825.tif 000011
【図１０】
2005223825.tif 000012